(57)【特許請求の範囲】
【請求項１】
収容するガラスコップの直径より若干大径の円状挿通孔を穿設した最上層、中間層、最下層を備えた多層構造体と、前記多層構造体を収容する身箱と、前記身箱を閉蓋する蓋とよりなる贈答箱において、ガラスコップの直径に対応する円状保持孔を穿設した補助板を中間層に挿入するようにした贈答箱。
【発明の詳細な説明】
【技術分野】
【０００１】
本発明は、多様な寸法のガラスコップを保持し、保護するための多層の構造体を有する贈答箱に関するものである。
【背景技術】
【０００２】
従来、ガラスコップの包装は、その脆弱性を前提に、大きめの箱に、クッション性も持った保護用の素材を過剰なくらい詰めているのが普通である。
【０００３】
個々のガラスコップを薄板または弾力のある薄い素材で包み、さらに個包装用の箱との隙間を埋めるための素材を間に詰めるという方法が、商品保護の中心的な役割を果していた。
【０００４】
また、ガラスコップの寸法が千差万別であるため、様々な大きさの小箱を用意されており、例えば、３２種類のカップに対して、１０種類ほどの寸法のまちまちな個包装用の箱が用意されていた。
【特許文献１】特開平０６−１５６４７５
【発明の開示】
【発明が解決しようとする課題】
【０００５】
多様な寸法のガラスコップを、簡単な構成で保持できる贈答箱の提供が求められている。
【０００６】
また、様々な寸法の個包装用の箱は、店頭での包装作業の効率を悪くし、箱やクッション材といった包装材料のための保管スペースの確保と、その管理が煩雑になり、また、それに伴って費用の増大といった問題点がある。
【０００７】
さらに、贈られた人が箱を開けてもすぐには商品を見ることが出来ず、包装材料を取り除く必要があり、ごみとなった包装材料を処理するため、プラスチック系やそうでない物との分別が必要となってくる。
【課題を解決するための手段】
【０００８】
そこで、本発明は、多様な寸法のガラスコップを簡単な構成で保持できる贈答箱の提供ができ、店頭での包装作業の効率を良くし、包装材料の保管スペースを確保でき、その管理を単純化し、管理費用を減少させ、贈られた人がすぐ商品を見ることができるようにすべく、収容するガラスコップの直径より若干大径の円状挿通孔を穿設した最上層、中間層、最下層を備えた多層構造体と、前記多層構造体を収容する身箱と、前記身箱を閉蓋する蓋とよりなる贈答箱において、ガラスコップの直径に対応する円状保持孔を穿設した補助板を中間層に挿入するようにした贈答箱とした。
【発明の効果】
【００１０】
本発明は、収容するガラスコップの直径より若干大径の円状挿通孔を穿設した最上層、中間層、最下層を備えた多層構造体と、前記多層構造体を収容する身箱と、前記身箱を閉蓋する蓋とよりなる贈答箱において、ガラスコップの直径に対応する円状保持孔を穿設した補助板を中間層に挿入するようにした贈答箱であるので、多様な寸法のガラスコップを簡単な構成で保持できる贈答箱の提供ができ、店頭での包装作業の効率を良くし、包装材料の保管スペースを確保でき、その管理を単純化し、管理費用を減少させ、贈られた人がすぐ商品を見ることができる。
【００１１】
本発明は、贈答箱へのガラスコップの収容が、誰にでも簡単にでき、個包装箱の種類を減らし、包装用資材の種類と量も減らし、包装作業の省力化を行い、店員が客に対応する時間を増やし、贈答品という事にふさわしく箱の蓋をとった時の「美観」を持たせることができ、ゴミとしての処理の簡便化ができ、贈答箱としてコストをカットできる。
【発明を実施するための最良の形態】
【００１３】
本発明を、添付する図面に示す具体的一実施例に基づいて、以下詳細に説明する。
【００１４】
図１は、本発明の具体的一実施例の全体の概要を示す分解斜視図である。
【００１５】
ガラスコップを収容する多層構造体１は、身箱２に収容され、多層構造体１を収容した身箱２の開口に段ボール製筒状天板３が載置され、多層構造体１を収容し開口に段ボール製筒状天板３が載置された身箱２を蓋４で閉蓋する。
【００１６】
多層構造体１は、板紙製で、平行状な中間層を有する筒状体で、最上層１１、中間層１２、１３、最下層１４にはそれぞれガラスコップの円状挿通孔１５、１６、１７が穿設されている。なお、最下層１４の挿通孔は図示されてない。
【００１７】
ガラスコップの直径に対応させるため、最上層１１、中間層１２、１３、最下層１４には直径の異なる円状挿通孔１５、１６、１７を穿設する。最上層１１から下層に行くに従い、ガラスコップが底に向かって先細りになっているため、直径は小さくなる。
【００１８】
本発明では、円状挿通孔内に配置されたガラスコップの水平方向の移動を抑えるため、板紙の補助板を用いる。
【００１９】
図２に板紙の補助板２１の斜視図を示す。この補助板２１にはガラスコップの外径に嵌まり、ガラスコップを保持する保持孔２２が穿設してある。多層構造体１の中間層１２、１３に補助板２１を挿入し、この補助板２１によりガラスコップの先細りの外径に対応できる。外径が異なる３２種のガラスコップに対応できた。
【００２０】
図３に示す最大外径６０ｍｍ、高さ１３０ｍｍの長身細径のガラスコップ２３を、図４に示すように多層構造体１で保持する場合は、図５に示すように補助板２１を用いて水平方向の移動を無くする。
【００２１】
最大外径６０ｍｍのガラスコップ２３に対し、多層構造体１の挿通孔１５、１６、１７の直径は全て大きいので、これらの孔径より小さめの直径の保持孔２２を持った補助板２１をガラスコップ２３の外径に合わせて層間に挿入してガラスコップ２３の動きを封じるようにする。これによって、ガラスコップ２３の水平方向の動きが完全に無くなるわけではないが、ガラスコップ２３の保護には十分な働きをする。
【００２２】
図６に示す段ボール製補強板２４を用いる。この段ボール製補強板２４は一枚板から抜かれたものである。この段ボール製補強板２４は、補強板として用いられる以外に、天板、底板としても用いられる。
【００２３】
天面と底面には、図７に示すように段ボール製補強板２４を用いて箱の天地の補強が図れる。なお、箱の側面は、箱自体が二重、三重で、対衝撃強度は十分である。
【００２４】
図８に示す最大外径９０ｍｍ、高さ８５ｍｍの短躯太めのガラスコップ２５を、図９に示す多層構造体１で保持する場合には、図１０に示すように、箱の高さが１３７ｍｍに対し、ガラスコップ２５の高さは８５ｍｍしかないので、多層構造体１の最下層１４から一段上に段ボール製補強板２４を入れ底上げする。また、ガラスコップ２５の水平方向の動きを封じるため、補助板２１を中間層に入れる。
【００２５】
しかし、これでも箱の高さとの差が、図１１に示すように約１５ｍｍ残るため、蓋４の天面に図１２に示す段ボール製筒状天板３を用いる。段ボール製筒状天板３は高さが２０ｍｍあり、クッション性を有し、図１３に示すように天面とガラスコップ２５上面との隙間を塞ぐ。
【００２６】
この段ボール製筒状天板３は、蓋４の天面内側に配置され、図１３、図１４に示すように身箱２の内部に入り込む構造になっている。身箱２の四周壁より各面に５ｍｍの隙間をあけてある。この隙間に身箱２の上部が入り込み、ガラスコップを押さえる。
「実施例」
上記の本発明の多層構造体１、身箱２、段ボール製筒状天板３、蓋４、補助板２１、段ボール製補強板２４の実施例の展開図を示す。符号は本発明に対応させて示す。図中、破線はミシン目を示し、一点鎖線は折り曲げ線を示す。
【産業上の利用可能性】
【００２７】
本発明は、ガラスコップのみならず、ガラス製の花瓶にも利用できる。
【図面の簡単な説明】
【００２８】
【図１】本発明の具体的一実施例の全体の概要を示す分解斜視図である。
【図２】板紙の補助板の斜視図である。
【図３】長身細径のガラスコップの斜視図である。
【図４】長身細径のガラスコップを多層構造体で保持した状態の斜視図である。
【図５】長身細径のガラスコップを補助板で保持した状態を示す多層構造体の断面模式図である。
【図６】段ボール製補強板の斜視図である。
【図７】長身細径のガラスコップを段ボール製補強板で保持した状態を示す多層構造体の断面模式図である。
【図８】短躯太めのガラスコップの斜視図である。
【図９】短躯太めのガラスコップを多層構造体で保持した状態の斜視図である。
【図１０】短躯太めのガラスコップを段ボール製補強板で嵩上げ支持し、補助板で保持した状態を示す多層構造体の断面模式図である。
【図１１】短躯太めのガラスコップの上面と箱の天面との間の隙間を示す箱の模式断面図である。
【図１２】段ボール製筒状天板の斜視図である。
【図１３】短躯太めのガラスコップ上面と天面との間に段ボール製筒状天板で隙間を塞いだ状態の箱の模式断面図である。
【図１４】身箱に全周にわたり隙間を設けて段ボール製筒状天板を配置した箱の斜視図である。
【図１５】多層構造体の展開図である。
【図１６】身箱の展開図である。
【図１７】段ボール製筒状天板の展開図である。
【図１８】蓋の展開図である。
【図１９】補助板の展開図である。
【図２０】段ボール製補強板の展開図である。
【符号の説明】
【００２９】
２３・２５…ガラスコップ
１５・１６・１７…円状挿通孔
１１…最上層
１２・１３…中間層
１４…最下層
１…多層構造体
２…身箱
４…蓋
２２…円状保持孔
２１…補助板
【図１】
0004600179.tif 000002
【図２】
0004600179.tif 000003
【図３】
0004600179.tif 000004
【図４】
0004600179.tif 000005
【図５】
0004600179.tif 000006
【図６】
0004600179.tif 000007
【図７】
0004600179.tif 000008
【図８】
0004600179.tif 000009
【図９】
0004600179.tif 000010
【図１０】
0004600179.tif 000011
【図１１】
0004600179.tif 000012
【図１２】
0004600179.tif 000013
【図１３】
0004600179.tif 000014
【図１４】
0004600179.tif 000015
【図１５】
0004600179.tif 000016
【図１６】
0004600179.tif 000017
【図１７】
0004600179.tif 000018
【図１８】
0004600179.tif 000019
【図１９】
0004600179.tif 000020
【図２０】
0004600179.tif 000021